(57)【特許請求の範囲】
【請求項１】
建物外壁の開口部の下部を遮蔽し、かつ開閉することのできない閉じた第１の窓と、前記開口部の上部を遮蔽し、かつ開閉可能な第２の窓とを有する窓と、
前記窓の内側に建物内部空間に露出されて配置され、かつ上端縁と下端縁とを有し、前記上端縁が上下方向に変位可能なように設けられた窓遮蔽部材と、
前記第１の窓の下方に配置され、かつ建物外部からの空気を吸引する吸気部と、
前記第２の窓の上方に配置され、前記吸気部から吸引されて前記窓に沿って上昇した空気を建物外部に排出する排気部とを備えた、建物外壁の開口部構造。
【請求項２】
前記窓遮蔽部材は、前記窓との間に空気が流動する流路を形成している、請求項１に記載の建物外壁の開口部構造。
【請求項３】
請求項１または２に記載の建物外壁の開口部構造を用いて熱負荷を低減する方法であって、
前記第２の窓を閉じ、かつ前記窓に対向する空間を遮蔽するように前記窓遮蔽部材の前記上端縁を位置させることにより、前記窓と前記窓遮蔽部材との間に滞留する空気を建物外部から吸引した空気で建物外部に排気する工程と、
前記第２の窓を開け、かつ前記第１の窓に対向する空間を遮蔽するとともに前記第２の窓に対向する空間が開口するように前記窓遮蔽部材の前記上端縁を位置させることにより、建物外部からの空気を取り込む工程と、
前記第２の窓を閉じ、かつ前記第１の窓に対向する空間を遮蔽するとともに前記第２の窓に対向する空間が開口するように前記窓遮蔽部材の前記上端縁を位置させることにより、前記窓と前記窓遮蔽部材との間に建物外部から吸引した空気を通過させる際に日射熱で暖めて、前記窓遮蔽部材の前記上端縁上の開口部から内部に取り込む工程とを備えた、建物外壁の開口部の熱負荷の低減方法。
【発明の詳細な説明】
【技術分野】
【０００１】
本発明は、建物外壁の開口部構造及びその使用方法に関する。
【背景技術】
【０００２】
近年、建物外壁の開口部に設けられたガラスと、このガラスの内側に設けられた日射を遮蔽するブラインドと、このブラインドの内側に設けられたガラスとを備えたエアフローウインドウやダブルスキンが採用されている。エアフローウインドウ及びダブルスキンは、外側のガラスと内側のガラスとの間に形成される空間に空気を流動させて、熱負荷を低減するシステムである。
【０００３】
しかし、エアフローウインドウ及びダブルスキンは、外側のガラスと内側のガラスとの間で気密空間を形成するので、コストが高いなどの問題を有している。そこで、内側にガラスを設けない構造として、例えば、特開平７−１８９５９号公報（特許文献１）及び特許第２６６２７５５号公報（特許文献２）などの技術が考えられている。
【０００４】
特許文献１には、窓ガラスの内側に、複数のスラットで構成するブラインドを設置し、このブラインドの室内側の端部に透視性を有するスクリーンを貼着したことを特徴とする日射遮蔽装置が開示されている。特許文献２には、窓ガラスの内側に、不透明な繊維で織られた日射遮蔽用の不透明なロールスクリーンと、内側に低放射フィルムを貼設した透明なロールスクリーンとを相互間に通風間隔を存して並設し、かつ、これらロールスクリーンは個別に昇降自在としたことを特徴とする日射遮蔽装置が開示されている。
【先行技術文献】
【特許文献】
【０００５】
【特許文献１】特開平７−１８９５９号公報
【特許文献２】特許第２６６２７５５号公報
【発明の概要】
【発明が解決しようとする課題】
【０００６】
しかしながら、上記特許文献１及び２においては、ブラインドまたはロールスクリーンの巻上装置がガラス上の天井部に設けられており、ブラインドまたはロールスクリーンは下から上に巻き上げられるため、ブラインドまたはロールスクリーンで日射を遮蔽すると、建物内部に日射を取り込むことができない。このため、上記特許文献１及び２の日射遮蔽装置による熱負荷の低減は十分でない。
【０００７】
本発明は、上記問題点に鑑み、熱負荷を低減できる建物外壁の開口部構造及びその使用方法を提供することである。
【課題を解決するための手段】
【０００８】
本発明の建物外壁の開口部構造は、建物外壁の開口部の下部を遮蔽する第１の窓と、開口部の上部を遮蔽し、かつ開閉可能な第２の窓とを有する窓と、窓の内側に配置され、かつ上端縁と下端縁とを有し、この上端縁が上下方向に変位可能なように設けられた窓遮蔽部材と、第１の窓の下方に配置され、かつ建物外部からの空気を吸引する吸気部と、吸気部から吸引されて窓に沿って上昇した空気を建物外部に排出する排気部とを備えている。
【０００９】
本発明の建物外壁の開口部構造において好ましくは、上記排気部は、第２の窓の上方に配置されている。
【００１０】
本発明の建物外壁の開口部構造の使用方法は、第２の窓を閉じ、かつ窓に対向する空間を遮蔽するように窓遮蔽部材の上端縁を位置させる工程と、第２の窓を開け、かつ第１の窓に対向する空間を遮蔽するとともに第２の窓に対向する空間が開口するように窓遮蔽部材の上端縁を位置させる工程と、第２の窓を閉じ、かつ第１の窓に対向する空間を遮蔽するとともに第２の窓に対向する空間が開口するように窓遮蔽部材の上端縁を位置させる工程とを備えている。
【発明の効果】
【００１１】
以上説明したように、本発明は、熱負荷を低減できる建物外壁の開口部構造及びその使用方法を提供することができる。
【図面の簡単な説明】
【００１２】
【図１】本発明の実施の形態１における建物外壁の開口部構造を概略的に示す断面図であり、夏期に使用している状態を示す。
【図２】本発明の実施の形態１における建物外壁の開口部構造を構成する窓遮蔽部材の上端部を概略的に示す断面図である。
【図３】本発明の実施の形態１における建物外壁の開口部構造を概略的に示す断面図であり、夏期に使用している別の状態を示す。
【図４】本発明の実施の形態１における建物外壁の開口部構造を概略的に示す断面図であり、中間期に使用している状態を示す。
【図５】本発明の実施の形態１における建物外壁の開口部構造を概略的に示す断面図であり、冬期に使用している状態を示す。
【図６】本発明の実施の形態２における建物外壁の開口部構造を概略的に示す断面図である。
【発明を実施するための形態】
【００１３】
以下、図面に基づいて本発明の実施の形態を説明する。なお、以下の図面において同一または相当する部分には同一の参照符号を付しその説明は繰り返さない。
【００１４】
（実施の形態１）
図１〜図５を参照して、本発明の一実施の形態である建物外壁の開口部構造１０を説明する。
【００１５】
図１に示すように、建物外壁の開口部構造１０は、窓１１と、窓遮蔽部材１５と、吸気部１６と、排気部１７と、ファン１８とを備えている。窓遮蔽部材１５は、窓１１の内側に配置されている。吸気部１６は、窓１１の下方に配置されている。排気部１７は、窓１１の上方に配置されている。ファン１８は、排気部１７に配置されている。
【００１６】
窓１１は、建物外壁１０１の開口部１０２全体を遮蔽し、建物外壁１０１の開口部１０２の下部を遮蔽する第１の窓１２と、開口部１０２の上部を遮蔽する第２の窓１３とを有している。本実施の形態では、窓１１は第１及び第２の窓１２、１３からなり、第１の窓１２上に第２の窓１３が設けられている。
【００１７】
第１及び第２の窓１２、１３は、例えば、窓枠と、窓枠に取り付けられたガラスとを含む。ガラスは透明であり、日射を取り込むことができる。
【００１８】
第１の窓１２は、閉じた窓であり、例えば、開閉することのできないＦＩＸ窓を用いてもよく、開閉可能な窓を用いてもよい。第２の窓１３は、開閉可能な窓であり、例えば、排煙窓、外倒し窓などを用いることができる。また、窓１１を引違い窓とし、第１の窓１２と第２の窓１３とをそれぞれ異なるレールに嵌め、第２の窓１３を滑らせることで開閉可能にしてもよい。
【００１９】
窓遮蔽部材１５は、窓１１の内側に沿って配置され、窓１１と、建物内部の室内とを遮蔽する。窓遮蔽部材１５は、窓１１との間に空気が流動する流路（以下、「空気層１４」とも言う）を形成する。
【００２０】
窓遮蔽部材１５は、上端縁１５Ａと、この上端縁１５Ａと反対側の下端縁１５Ｂとを有し、上端縁１５Ａが上下方向に変位可能なように設けられている。つまり、窓遮蔽部材１５は、上方から開口するように構成されている。このため、窓遮蔽部材１５は上からの開口面積（開口度合）を任意に調整することができる。
【００２１】
ここで、上端縁１５Ａとは、図２に示すように、窓遮蔽部材１５において最も上の位置である。言い換えると、上端縁１５Ａとは、図１に示すように建物の室内側から窓遮蔽部材１５を見たときに、窓遮蔽部材１５の最も高い位置である。なお、窓遮蔽部材１５の上端縁１５Ａは、図２に示すように上端と一致していなくてもよく、上端と一致していてもよい。
【００２２】
窓遮蔽部材１５の上端縁１５Ａの最大高さは特に限定されず、第１の窓１２の上端縁と略同じ高さであってもよい（図示せず）が、図１に示すように第２の窓１３の上端縁と略同じ高さ以上であることが好ましい。窓遮蔽部材１５の上端縁１５Ａの最大高さが第２の窓１３の上端縁と略同じである場合には、窓１１の上端縁と対向する位置まで空気層１４を構成できるとともに、窓遮蔽部材１５の上端縁を支持しやすい。また、窓遮蔽部材１５の上端縁１５Ａは、排気部１７内まで延在可能としてもよい（図示せず）。
【００２３】
一方、窓遮蔽部材１５の下端縁１５Ｂは、固定されていることが好ましく、例えば、図１に示すように第１の窓１２の下端縁と略同じ高さである。
【００２４】
窓遮蔽部材１５は、下から上に向けて窓１１に近づくように傾斜している。つまり、窓遮蔽部材１５と窓１１との間に形成される空気の流路である空気層１４は、下から上に向けて狭くなる。
【００２５】
窓遮蔽部材１５は、例えば、ブラインド、ロールスクリーン、カーテンなどを用いることができる。窓遮蔽部材１５は、日射を遮蔽する材質であることが好ましく、日射反射率の高い材質であることがより好ましい。また、窓遮蔽部材１５は、第１の窓１２に対向する位置に配置される窓遮蔽部材１５の日射反射率が、第２の窓１３に対向する位置に配置される窓遮蔽部材１５の日射反射率よりも高くなるような材質であってもよい。
【００２６】
窓遮蔽部材１５の上端縁１５Ａを上下方向に変位可能にするために、例えば、窓遮蔽部材１５の上端縁１５Ａを支持するための支持部材と、窓遮蔽部材１５を巻き取るための巻取部材とが配置されている。支持部材は、例えば開口部１０２の両側部にレール状で設けられ、窓遮蔽部材１５の上端縁１５Ａの幅方向両端部がこの支持部材の中を通って上下方向に可変し自由な位置で調節できる。このとき窓遮蔽部材１５も両端はレール状の支持部材で支持されてもよく支持されなくてもよい。巻取部材は、例えば窓遮蔽部材１５の下端縁１５Ｂ下に設けられる。また、窓遮蔽部材１５が下から上に向けて窓１１に近づくように傾斜するためには、例えば、このレール状の支持部材を下から上に向けて窓１１に近づくように傾斜するように配置する。
【００２７】
吸気部１６は、第１の窓１２の下方（第１の窓１２の下部または第１の窓１２よりも下）に配置され、建物外部からの空気を吸引し、窓１１と窓遮蔽部材１５との間に形成される空間である空気層１４に空気を流す。本実施の形態では、吸気部１６は、第１の窓１２下の壁内部に設けられ、窓１１と窓遮蔽部材１５との間に形成される空間と、建物外部との空間とを連結している。なお、吸気部１６は、第１の窓１２よりも下の壁に設けられる図１の配置に特に限定されない。
【００２８】
排気部１７は、第２の窓１３の上方（第２の窓１３の上部または第２の窓１３よりも上）に配置され、建物外部へ空気を排出する。本実施の形態では、排気部１７は第２の窓１３上の天井部に設けられ、かつその入口が空気層１４の直上である。
【００２９】
なお、排気部１７は、吸気部１６から吸引されて窓１１に沿って上昇した空気を建物外部へ排出する構成であれば、第２の窓１３上の壁に設けられる配置に特に限定されない。つまり、排気部１７は、空気層１４を上昇する空気を建物外部へ排出するためのものであり、例えば、図３に示すように、第２の窓１３を排気部としてもよい。この場合、図３に示すように、第１及び第２の窓１２、１３に対向する空間を遮蔽するように窓遮蔽部材１５の上端縁１５Ａを位置させ、かつ第２の窓１３を開けることで、窓遮蔽部材１５で開口部１０２を遮蔽するとともに、空気層１４内の空気を建物外部に排出できる。
【００３０】
この排気部１７には、空気流動機構としてのファン１８が設けられている。ファン１８は、例えば電動式で、回転可能である。本実施の形態では、ファン１８は、排気部１７に設けられているが、吸気部１６に設けられていてもよく、吸気部１６及び排気部１７に設けられていてもよく、省略されてもよい。なお、吸気部１６及び排気部１７にファン１８が設けられていない場合であっても、空気層１４内の空気が日射熱により建物内部の空気よりも高温になると、煙突効果により吸気部１６から排気部１７に向けて空気層１４内を空気が移動する。
【００３１】
また、第２の窓１３の上方には、庇が配置されていてもよい（図示せず）。また、第２の窓１３に遮熱フィルム、遮光フィルムなどを形成して、日射遮断機能及び採光機能を季節等に応じて持たせてもよい。
【００３２】
続いて、本実施の形態における建物外壁の開口部構造１０の使用方法について説明する。
【００３３】
夏期には、図１に示すように、第２の窓１３を閉じ、かつ窓１１に対向する空間を遮蔽するように窓遮蔽部材１５の上端縁１５Ａを位置させる。本実施の形態では、第２の窓１３の上端縁と、窓遮蔽部材１５の上端縁１５Ａとが同じ高さになるように、上端縁１５Ａを位置させているので、窓１１全体が窓遮蔽部材１５で遮蔽されている。なお、この工程において、窓遮蔽部材１５の上端縁１５Ａは、第２の窓１３の上部に位置させてもよい。
【００３４】
夏期には、空気層１４に滞留している空気は、日射熱のため、窓遮蔽部材１５の内側の空気よりも温度が高いので、空気層１４に滞留している空気は煙突効果により上昇する。このため、図１の矢印Ａに示すように、窓１１の外側の空気が吸気部１６から吸引され、この空気が空気層１４に供給され、空気層１４を上昇した空気が排気部１７から建物外部に排出される。このとき、排気部１７に設けられたファン１８を起動すると、空気層１４内の空気の流動を促進できるので、煙突効果と相乗して、空気層１４の通気量が増加し、排熱量を増やすことができる。このように、空気層１４内の高い熱量を有する空気を排気部１７に送り出すことができるので、開口部１０２の熱負荷を低減することができる。
【００３５】
また、窓遮蔽部材１５が窓１１に対向する空間を遮蔽しているので、窓遮蔽部材１５が日射を遮蔽する機能を有している場合には、日射を遮蔽することができる。
【００３６】
次に、夏期と冬期との中間期には、図４に示すように、第２の窓１３を開け、かつ第１の窓１２に対向する空間を遮蔽するとともに第２の窓１３に対向する空間が開口するように窓遮蔽部材１５の上端縁１５Ａを位置させる。本実施の形態では、第１の窓１２と第２の窓１３との境界と、窓遮蔽部材１５の上端縁１５Ａとが同じ高さになるように、上端縁１５Ａを位置させているので、第１の窓１２全体が窓遮蔽部材１５で遮蔽され、第２の窓１３全体が窓遮蔽部材１５で遮蔽されていない。なお、この工程において、窓遮蔽部材１５の上端縁１５Ａは、第１の窓１２の上部であってもよく、第２の窓１３の下部であってもよい。
【００３７】
この工程では、図４の矢印Ｂに示すように、建物外部から建物内部へ空気を取り込むことができる。第２の窓１３に対向する空間が開口するように窓遮蔽部材１５の上端縁１５Ａを位置させているので、第２の窓１３を開けても、風による窓遮蔽部材１５のばたつきを抑制できるので、換気または通風の際に、風の影響による破損、音の発生等を抑制できる。
【００３８】
また、この工程では、図４の矢印Ａに示すように窓１１の外部の空気が吸気部１６から吸気され、この空気が空気層１４に供給され、図４の矢印Ｃに示すように、窓遮蔽部材１５の上端縁１５Ａ上の開口部から窓遮蔽部材１５の内側へ、空気層１４を通って上昇した空気を送ることができる。このため、第２の窓１３を開けることができない場合であっても、換気及び通風を行うことができる。なお、この工程では、排気部１７に設けられたファン１８は運転しない。
【００３９】
また、図１に示す夏期と同様に、窓遮蔽部材１５が第１の窓１２に対向する空間を遮蔽しているので、窓遮蔽部材１５が日射を遮蔽する機能を有している場合には、日射を遮蔽することができる。
【００４０】
また、第２の窓１３に対向する空間が開口するように窓遮蔽部材１５の上端縁１５Ａを位置させているので、窓遮蔽部材１５が第２の窓１３に対向する空間を遮断しないため、窓遮蔽部材１５の上端縁１５Ａの開口から建物内部に日射による明るさを取り込むことができる。このため、建物内部の照度を上げることができるので、照明エネルギーを低減することができる。
【００４１】
次に、冬期には、図５に示すように、第２の窓１３を閉じ、かつ第１の窓１２に対向する空間を遮蔽するとともに第２の窓１３に対向する空間が開口するように窓遮蔽部材１５の上端縁１５Ａを位置させる。本実施の形態では、第１の窓１２と第２の窓１３との境界と、窓遮蔽部材１５の上端縁１５Ａとが同じ高さになるように、上端縁１５Ａを位置させているので、第１の窓１２全体が窓遮蔽部材１５で遮蔽され、第２の窓１３全体が窓遮蔽部材１５で遮蔽されていない。なお、この工程において、窓遮蔽部材１５の上端縁１５Ａは、第１の窓１２の上部であってもよく、第２の窓１３の下部であってもよい。
【００４２】
この工程では、図５の矢印Ａに示すように窓１１の外部の空気を吸気部１６から吸気し、この空気を空気層１４に供給する。空気層１４を上昇する空気は日射熱により暖められ、暖められた空気は、図５の矢印Ｃに示すように、窓遮蔽部材１５の上端縁１５Ａの上方の開口部から窓遮蔽部材１５の内側へ取り込まれる。このように、熱負荷の大きい低温の外気をそのまま室内に取り込むのではなく、低温の外気を空気層１４内で日射熱により加熱している。このため、日射により暖められた空気を換気に利用することができるので、熱負荷を低減できる。なお、この工程では、排気部１７に設けられたファン１８は運転しない。
【００４３】
ここで、本実施の形態における建物外壁の開口部構造１０は、第２の窓１３の開閉と、窓遮蔽部材１５の上端縁１５Ａの上下方向の変位とが可能であるため、図１、図４及び図５に示す状態以外の使用も適宜可能である。例えば、図３に示すように、第２の窓１３を開け、窓遮蔽部材１５の上端縁１５Ａを第２の窓１３の上端縁と同じ高さにすることにより、第２の窓１３を排気部として用いて、空気層１４を通って上昇した空気を建物外部に排出することができる。また、第２の窓１３を閉じ、かつ第１の窓１２に対向する空間を遮蔽するとともに第２の窓１３に対向する空間が開口するように窓遮蔽部材１５の上端縁１５Ａを位置させてもよい（図示せず）。この場合、排気部１７のファン１８を運転させて空気層１４を通って上昇する空気を排気部１７から排出させると、窓遮蔽部材１５が第２の窓１３に対向する空間を遮断しないため、窓遮蔽部材１５の上端縁１５Ａ上の開口から建物内部に日射による明るさを取り込むことができる。このため、建物内部の照度を上げることができるので、照明エネルギーを低減することができる。
【００４４】
以上説明したように、本実施の形態における建物外壁の開口部構造１０は、建物外壁１０１の開口部１０２の下部を遮蔽する第１の窓１２と、開口部１０２の上部を遮蔽し、かつ開閉可能な第２の窓１３とを有する窓１１と、この窓１１の内側に配置され、かつ上端縁１５Ａと下端縁１５Ｂとを有し、上端縁１５Ａが上下方向に変位可能なように設けられた窓遮蔽部材１５と、第１の窓１２の下方に配置され、かつ建物外部からの空気を吸引する吸気部１６と、この吸気部１６から吸引されて窓１１に沿って上昇した空気を建物外部に排出する排気部１７（第２の窓１３を排気部１７としてもよい）とを備えている。
【００４５】
本実施の形態の建物外壁の開口部構造１０によれば、第２の窓１３を開閉することにより、外気を建物内部に取り込むことと、外気を遮断することとができる。また、窓遮蔽部材１５の上端縁１５Ａを上下方向に変位させることにより、窓遮蔽部材１５の上からの開口面積を調整することができるため、窓１１の上部から建物内部に日射を取り込むことができるので、日射熱を利用できる。このため、気温、気候などに合わせて、第２の窓１３の開閉と、窓遮蔽部材１５の上端縁１５Ａの位置とを調整することにより、建物外壁１０１の開口部１０２の熱負荷を低減できる。
【００４６】
また、本実施の形態にける建物外壁の開口部構造１０において、窓遮蔽部材１５の内側に窓が配置されていない。このため、本実施の形態における建物外壁の開口部構造１０は、外側の窓と内側の窓との間で気密空間を形成するエアフローウインドウ及びダブルスキンに比べて、コストを低減できるとともに、第２の窓１３を開けることで換気及び通風をすることもできる。したがって、本実施の形態における建物外壁の開口部構造１０は、ダブルスキンの機能を有しつつ、ダブルスキンの欠点を補うことができる。
【００４７】
本実施の形態における建物外壁の開口部構造１０において好ましくは、排気部１７は、第２の窓１３の上方に配置されている。
【００４８】
吸気部１６により、窓１１の下方から建物外部の空気を空気層１４に供給することができるとともに、排気部１７により、窓１１の上方から空気層１４を上昇した空気を建物外部に排出することができる。このため、窓１１の下方から上方に沿って空気層１４を形成できるので、熱負荷を低減した建物外壁の開口部構造１０を実現できる。
【００４９】
本実施の形態における建物外壁の開口部構造１０において好ましくは、窓遮蔽部材１５は、下から上に向けて窓１１に近づくように傾斜している。
【００５０】
これにより、窓遮蔽部材１５に沿った指向性の高い気流を空気層１４内に形成できる。このため、図１及び図３のように外気を取り込みたくない場合には、空気層１４を上昇した空気が窓遮蔽部材１５の上端縁１５Ａの上から漏れることを抑制できるので、排熱効率を高めることができる。
【００５１】
本実施の形態における建物外壁の開口部構造１０において、窓１１の上方に配置された庇をさらに備えていてもよい。この場合、夏期には日射を遮ることができる。また、冬期には太陽高度が下がるので、庇が配置されていても日射熱を利用できるので、熱負荷の低減を実現できる。
【００５２】
本実施の形態における建物外壁の開口部構造１０において好ましくは、吸気部１６及び排気部１７の少なくとも一方に設けられたファン１８などの空気流動装置をさらに備えている。これにより、空気層１４を空気が上昇することを促進できるので、熱負荷をより低減できる。
【００５３】
また、本実施の形態の建物外壁の開口部構造１０の使用方法は、第２の窓１３を閉じ、かつ窓１１に対向する空間を遮蔽するように窓遮蔽部材１５の上端縁１５Ａを位置させる工程（第一工程）と、第２の窓１３を開け、かつ第１の窓１２に対向する空間を遮蔽するとともに第２の窓１３に対向する空間が開口するように窓遮蔽部材１５の上端縁１５Ａを位置させる工程（第二工程）と、第２の窓１３を閉じ、かつ第１の窓１２に対向する空間を遮蔽するとともに第２の窓１３に対向する空間が開口するように窓遮蔽部材１５の上端縁１５Ａを位置させる工程（第三工程）とを備えている。
【００５４】
本実施の形態における建物外壁の開口部構造１０の使用方法によれば、第一工程では、図１に示すように、空気層１４に滞留する空気を、建物外部から吸引した空気で建物外部に排気できるので、熱負荷を低減できる。第二工程では、図４に示すように、第２の窓１３を開けても、窓遮蔽部材１５における第２の窓１３に対向する空間が開口しているので、窓遮蔽部材１５のばたつきを抑制して、建物外部からの空気を取り込むことができる。また、第二工程では、吸気部１６により建物外部から吸引した空気を、空気層１４を通過させて、窓遮蔽部材１５の上端縁１５Ａの上方から内側へ取り込むことができる。このため、第二工程では、第２の窓１３及び吸気部１６の少なくとも一方から外気を取り込むことができるので、照明エネルギー及び空調負荷を低減することができる。第三工程では、図５に示すように、吸気部１６から吸引した外気が空気層１４と通過する際に日射熱で暖めて、窓遮蔽部材１５の上端縁１５Ａ上の開口部から内部に取り込むことができるので、熱負荷を低減できる。このため、第一工程を夏期に実施し、第二工程を夏期と冬期との間の中間期に実施し、第三工程を冬期に実施することにより、熱負荷を低減することができる。
【００５５】
（実施の形態２）
図６に示すように、本発明の実施の形態２における建物外壁の開口部構造２０は、基本的には実施の形態１の建物外壁の開口部構造１０と同様の構成を備えているが、建物外壁１０１の開口部１０２Ａ、１０２Ｂが複数である点において異なる。
【００５６】
具体的には、図６に示すように、建物外壁１０１の開口部１０２Ａ、１０２Ｂのうち、下部に位置する開口部１０２Ａを第１の窓１２が遮蔽し、上部に位置する開口部１０２Ｂを第２の窓１３が遮蔽する。
【００５７】
このように、建物外壁１０１の開口部１０２Ａ、１０２Ｂが複数形成されている場合にも、本発明の建物外壁の開口部構造を適用することができる。
【００５８】
なお、本実施の形態では、建物外壁の開口部が２つである場合を例に挙げて説明したが、建物外壁の開口部は３つ以上であってもよい。この場合、例えば、３つ以上の開口部をそれぞれ遮蔽するための３つ以上の窓が設けられる。
【００５９】
今回開示された実施の形態はすべての点で例示であって制限的なものではないと考えられるべきである。本発明の範囲は上記した実施の形態ではなくて特許請求の範囲によって示され、特許請求の範囲と均等の意味および範囲内でのすべての変更が含まれることが意図される。
【符号の説明】
【００６０】
１０，２０  建物外壁の開口部構造、１１  窓、１２  第１の窓、１３  第２の窓、１４，１５  窓遮蔽部材、１５Ａ  上端縁、１５Ｂ  下端縁、１６  吸気部、１７  排気部、１８  ファン、１０１  建物外壁、１０２，１０２Ａ，１０２Ｂ  開口部、Ａ〜Ｃ  矢印。
【図１】
0005869530.tif 000002
【図２】
0005869530.tif 000003
【図３】
0005869530.tif 000004
【図４】
0005869530.tif 000005
【図５】
0005869530.tif 000006
【図６】
0005869530.tif 000007